(57)【要約】【課題】  良好に電流を導電するスピーカ装置を提供する。【解決手段】  スピーカ装置１００は、箔線５０２が反時計周りに螺旋形成された左撚導線５２０と、箔線５０２が時計回りに螺旋形成された右撚導線５３０とを撚り合わせて形成されたリード線５００を備えた。これにより、リード線５００を磁界中で振動させた場合に、左撚導線５２０に発生する誘導電流と右撚導線５３０に発生する誘導電流とを相殺させることができるので、リード線５００に発生する誘導電流の電流値を低減できる。また、外部からの応力を左撚導線５２０と右撚導線５３０とで異なった方向に分散できるので、リード線５００の強度を強くできる。【選択図】  図３
2006210186.tif 000002
【特許請求の範囲】
【請求項１】
導電性の線材が所定の螺旋方向で線状に形成された第１の導電線材と、
導電性の線材が前記第１の導電線材とは逆の螺旋方向で線状に形成された第２の導電線材と、
を具備したことを特徴とした導線。
【請求項２】
請求項１に記載の導線であって、
前記第１の導電線材と前記第２の導電線材とが互いに撚り合わされた
ことを特徴とした導線。
【請求項３】
請求項１に記載の導線であって、
前記第１の導電線材と前記第２の導電線材とが互いに編組された
ことを特徴とした導線。
【請求項４】
請求項１ないし請求項３のいずれかに記載の導線であって、
前記第１の導電線材および前記第２の導電線材は、前記導電性の線材が長手状の軸材にそれぞれを螺旋状に巻装されて形成された
ことを特徴とした導線。
【請求項５】
請求項４に記載の導線であって、
前記導電性の線材は、略帯状である
ことを特徴とした導線。
【請求項６】
請求項１ないし請求項５のいずれかに記載の導線であって、
前記第１の導電線材と前記第２の導電線材とは同数である
ことを特徴とした導線。
【請求項７】
請求項１ないし請求項６のいずれかに記載の導線が複数撚り合わされた
ことを特徴とした導電線。
【請求項８】
請求項１ないし請求項６のいずれかに記載の導線が複数編組された
ことを特徴とした導電線。
【請求項９】
磁界を発生する電気機器本体と、
前記電気機器本体にて発生する磁界中に配置される請求項１ないし請求項６の導線、あるいは請求項７または請求項８に記載の導電線と、
を具備したことを特徴とした電気機器。
【請求項１０】
振動により振動する電気機器本体と、
この電気機器本体に電力を供給する請求項１ないし請求項６の導線、あるいは請求項７または請求項８に記載の導電線と、
を具備したことを特徴とした電気機器。
【発明の詳細な説明】
【技術分野】
【０００１】
本発明は、電流を導通する導線、導電線、および電気機器に関する。
【背景技術】
【０００２】
従来、電流を導通させるリード線として、耐蝕性や靭性に優れ、柔軟で応力に強いリード線が知られている（例えば、特許文献１参照）。この特許文献１に記載のリード線は、複数本のステンレス細線を撚り合わせて撚線を形成し、この撚線をさらに複数組撚り合わせて構成されている。また、このリード線は、複数本のステンレス細線からなる撚線を複数組と、芯糸に銅箔を巻き付けた銅箔糸線を複数組と、を撚り合わせて構成されている。
【０００３】
【特許文献１】実開平５−７６１９５号公報（第４頁から第５頁、図２、図３参照）
【発明の開示】
【発明が解決しようとする課題】
【０００４】
ところで、特許文献１に記載のようなリード線は、例えばスピーカなどの磁気発生源の近傍に配置されることがあり、磁界の影響を受けるおそれがある。特に、スピーカのように振動を伴う装置にリード線が配置される場合、磁界中でリード線が振動することで誘導電流が発生するおそれがある。このように、特許文献１に記載のような従来のリード線では、誘導電流により電流値が増減するおそれがあるという問題が一例として挙げられる。
【０００５】
本発明では、このような点に鑑み、安定した特性が得られる導線、導電線、および電気機器を提供することを目的とする。
【課題を解決するための手段】
【０００６】
請求項１に記載の発明は、導電性の線材が所定の螺旋方向で線状に形成された第１の導電線材と、導電性の線材が前記第１の導電線材とは逆の螺旋方向で線状に形成された第２の導電線材と、を具備したことを特徴とした導線である。
【０００７】
請求項７に記載の発明は、請求項１ないし請求項６のいずれかに記載の導線が複数撚り合わされたことを特徴とした導電線である。
【０００８】
請求項８に記載の発明は、請求項１ないし請求項６のいずれかに記載の導線が複数編組されたことを特徴とした導電線である。
【０００９】
請求項９に記載の発明は、磁界を発生する電気機器本体と、前記電気機器本体にて発生する磁界中に配置される請求項１ないし請求項６の導線、あるいは請求項７または請求項８に記載の導電線と、を具備したことを特徴とした電気機器である。
【００１０】
請求項１０に記載の発明は、振動により振動する電気機器本体と、この電気機器本体に電力を供給する請求項１ないし請求項６の導線、あるいは請求項７または請求項８に記載の導電線と、を具備したことを特徴とした電気機器である。
【発明を実施するための最良の形態】
【００１１】
以下に、本発明の一実施の形態を図面に基づいて説明する。本実施の形態では、本発明のリード線を備えたスピーカの構成を例示して説明するが、これに限らず、リード線を備えたその他の電気機器などとすることができる。
【００１２】
図１は、本実施の形態におけるスピーカ装置を模式的に示す概略図である。図２は、スピーカ本体を模式的に示す断面図である。図３は、リード線の構成の概略図である。図４は、リード線の縦断面図である。図５は、基本導線の縦断面図である。図６は、左撚導線および右撚導線の構成を示す概略図である。
【００１３】
［スピーカ装置の構成］
図１において、１００は電気機器としてのスピーカ装置で、このスピーカ装置１００は、例えばオーディオ機器などの音声再生装置に接続され、再生装置から入力された音声信号を音声出力する。このスピーカ装置１００は、筐体２００と、端子部３００と、電気機器本体としてのスピーカ本体４００と、などを備えている。
【００１４】
筐体２００は、スピーカ装置１００の外装を形成する部材である。この筐体２００は、内部が空洞状となる矩形箱型に形成されている。そして、筐体２００の一面側には、内部空洞と外部空間とを連通させる図示しないスピーカ窓部が形成されている。また、筐体２００のスピーカ窓部が形成された一面側とは反対側面の下端部には、内部空洞と外部空間とを連通させる図示しない端子窓部が形成されている。そして、端子窓部には、端子部３００が固定され、スピーカ窓部にはスピーカ本体４００が固定されている。これらの端子部３００とスピーカ本体４００とは、導電線としてのリード線５００により電気的に接続されている。さらに、筐体２００の内部には、例えばスピーカ本体４００から出力される音声の筐体２００内での反響を防止するグラスウールなどの吸音材が設けられている。
【００１５】
端子部３００には、スピーカ装置１００の外部に設置される例えばステレオ機器やアンプなどのオーディオ機器や、テレビジョンなどのＡＶ（Audio-Visual）機器などの音声再生装置と接続される。そして、これらの音声再生装置から入力された音声信号は、リード線５００を介してスピーカ本体４００に出力される。
【００１６】
スピーカ本体４００は、筐体２００の内部から外部に向けて固定され、リード線５００から入力された音声信号を音声に変換して出力する。スピーカ本体４００は、図２に示すように、フレーム４１０と、磁性体４２０と、ボイスコイル４３０と、振動板４４０と、などを備えている。
【００１７】
フレーム４１０は、例えば鋼板などの金属材料や熱可塑性合成樹脂などの樹脂材料にて略リング状に形成されている。
【００１８】
磁性体４２０は、磁石４２１と、ヨーク板４２２と、ヨーク４２３と、などを備えている。ヨーク板４２２とヨーク４２３との間に磁石４２１が配置され、ヨーク板４２２とヨーク４２３との間に、所定の間隙寸法となる磁気ギャップが形成される。そして、磁性体４２０によりスピーカ本体４００の周囲には磁界が形成されている。
【００１９】
ボイスコイル４３０は、例えば合成樹脂製の円筒状のコイルボビン４３１と、このコイルボビン４３１の外周面に線材が巻回されて巻装されたコイル４３２と、を備えている。そして、ボイスコイル４３０は、コイルボビン４３１の軸方向の一端が振動板４４０に接着剤などにて一体的に取り付けられている。そして、コイル４３２に音声信号に応じた電流を流すことでボイスコイル４３０が振動し、振動板４４０に振動を伝達する。
【００２０】
振動板４４０は、略中央に曲面状の振動部４４１を有している。この振動部４４１の周縁には、振動部４４１と同方向に曲面状に湾曲するエッジ部４４２が一連に屈曲形成されている。また、エッジ部４４２の外周縁は、フレーム４１０に組み付けられている。そして、振動板４４０は、ボイスコイル４３０の振動が振動部４４１に伝達されて振動することで音声を外部空間に向かって出力する。
【００２１】
リード線５００は、前述したように、端子部３００とスピーカ本体４００とに接続して配置される。このリード線５００は、図３、図４に示すように、４本の導線としての基本導線５１０が撚り合わされて形成されている。
【００２２】
基本導線５１０は、第１の導電線材としての左撚導線５２０および第２の基本導電線材としての右撚導線５３０が撚り合わされて形成されている。基本導線５１０は、図５に示すように、断面視したときに、左撚導線５２０同士、右撚導線５３０同士が中心点Ｇに対して点対称になるように配置されて構成される。さらに、左撚導線５２０および右撚導線５３０の中心点が、基本導線５１０の中心点Ｇを中心とした略正方形の頂点に略一致するように、左撚導線５２０同士を結ぶ対角線とが直交配置される。すなわち、基本導線５１０は、中心点Ｇから各左撚導線５２０および右撚導線５３０までの距離が略同一となるように、かつ左撚導線５２０同士、右撚導線５３０同士が中心点Ｇを挟んで対向するように配置されて、いわゆる星型カッド構造とすることが好ましい。
【００２３】
なお、ここでは、左撚導線５２０と右撚導線５３０とを２本ずつ用いて星型カッド構造とする例を示したが、例えば１本の左撚導線５２０と１本右撚導線５３０とを撚り合わせる、いわゆる対より構造としてもよく、さらに多くの左撚導線５２０および右撚導線５３０を撚り合わせる構造であってもよい。ただし、撚り合わせる左撚導線５２０および右撚導線５３０の本数は同数となるようにする。
【００２４】
また、このような基本導線５１０を用いてリード線５００を形成するとき、図４に示すように、リード線５００を断面視した場合に、互いに対向する基本導線５１０の対向する側に配置される線が同一種類であることが好ましい。すなわち、基本導線５１０ａおよび基本導線５１０ｃ、基本導線５１０ｂおよび基本導線５１０ｄがそれぞれ対向している場合、基本導線５１０ａの基本導線５１０ｃ側、および基本導線５１０ｃの基本導線５１０ａ側に右撚導線５３０が配置され、基本導線５１０ｂの基本導線５１０ｄ側および基本導線５１０ｄの基本導線５１０ｂ側に左撚導線５２０が配置される。すなわち、リード線５００の中心位置には２本の左撚導線５２０と２本の右撚導線５３０とが配置される。
【００２５】
左撚導線５２０は、図６に示すように、軸材としての芯線５０１と導電性の線材としての箔線５０２と、などを備えて構成される。芯線５０１は、左撚導線５２０の略中心軸上に配置される。この芯線５０１は、例えば、綿糸やアラミド繊維などの絶縁性素材にて形成される。箔線５０２は、例えば銅や銅合金線、ステンレスなどの導電性素材にて略帯状に形成される。そして、箔線５０２が所定の螺旋方向で線状に形成されることで左撚導線５２０が構成される。すなわち、左撚導線５２０は、図６において例えば端子部３００に接続される方向をＡ方向とし、スピーカ本体４００に接続される方向をＢ方向とした場合、箔線５０２がＡ方向からＢ方向に向かって、芯線５０１の周面に沿って反時計回りに螺旋しながら巻装されて形成される。箔線５０２は、巻装間隔が密となるように芯線５０１に巻装され、芯線５０１を略覆い隠している。
【００２６】
右撚導線５３０は、左撚導線５２０と同様に、芯線５０１と箔線５０２と、などを備えて構成される。芯線５０１は、右撚導線５３０の略中心軸上に配置されている。この芯線５０１は、例えば、綿糸やアラミド繊維などの絶縁性素材にて形成される。箔線５０２は、例えば銅や銅合金線、ステンレスなどの導電性素材にて略帯状に形成される。そして、箔線５０２が所定の螺旋方向で線状に形成されることで右撚導線５３０が構成される。すなわち、右撚導線５３０は、図６において、箔線５０２がＡ方向からＢ方向に向かって、芯線５０１の周面に沿って時計回りに螺旋しながら巻装されて形成される。箔線５０２は、巻装間隔が密となるように芯線５０１に巻装され、芯線５０１を略覆い隠している。
【００２７】
なお、箔線５０２は所定の隙間をあけて巻装される構成としてもよい。さらに、箔線５０２は略帯状であるとしたが、たとえば断面円形の線材であってもよく、さらに他の形状であってもよい。さらには、箔線５０２の表面は、例えばエナメルなどの絶縁性の被覆材や、合成樹脂などの被覆層などにてコーティングされていてもよく、またコーティングされていないものであってもよい。
【００２８】
［スピーカ装置の作用］
{リード線の誘導電圧}
次に、スピーカ装置１００のスピーカ本体４００から発生する磁界およびスピーカ本体４００の振動により、リード線５００に発生する誘導電圧について説明する。ここで、スピーカ本体４００に接続されるリード線５００に発生する誘導電圧として、各種リード線を用いた測定装置で測定し、比較評価する実験を実施した。この誘導電圧を測定する実験としては、図７に示すような測定装置を用いた。図７は、リード線５００に発生する誘導電圧を測定する測定装置を模式的に示す概略図である。
【００２９】
図７に示す測定装置６００は、スピーカ本体４００の振動板４４０に振動伝達用ロッド６１０と、アクチュエータ６２０と、パワーアンプ６３０と、ＦＦＴ（Fast Fourier Transform）アナライザ６４０と、を備えている。
【００３０】
振動伝達用ロッド６１０は、振動板４４０の振動をアクチュエータ６２０に伝達する。そして、振動伝達用ロッド６１０の先端部に、アクチュエータ６２０を取り付け、振動伝達用ロッド６１０にて振動板４４０から伝達された振動の大きさに応じた電気信号をアクチュエータ６２０で発生させる。パワーアンプ６３０は、アクチュエータ６２０、およびＦＦＴアナライザ６４０に電気的に接続されている。このパワーアンプ６３０は、アクチュエータ６２０にて発生した電気信号を増幅させて、ＦＦＴアナライザ６４０に出力する。ＦＦＴアナライザ６４０は、パワーアンプ６３０から入力された電気信号を解析し、スピーカ装置４００の振動板４４０の振動の大きさを測定する。そして、スピーカ本体４００の振動板４４０に、誘導電圧を測定する測定対象の測定リード線を取り付ける。
【００３１】
振動板４４０に取り付けられる測定リード線としては、上記実施の形態のリード線５００と、比較例として左撚導線のみで構成されるリード線とを用いた。なお、測定リード線は、１本の基本導線を折り返し、一端部から基本導線の両先端部が延出され、他端部から基本導線の折り返し部分が湾曲されて形成された略環状の環状部が延出された状態に形成する。そして、この測定リード線を、基本導線の両端部が延出される一端部をＦＦＴアナライザ６４０に接続し、環状部が延出される他端部を振動板４４０に接着する。なお、測定リード線の環状部の大きさや環状部を形成する基本導線の長さ、この環状部が接着される位置などは予め設定しておき、どの測定リード線においても同じ条件となるように測定リード線を形成する。
【００３２】
そして、測定装置６００では、スピーカ本体４００から音声が出力されると、振動板４４０が振動し、スピーカ本体４００に接続された測定リード線も振動する。また、スピーカ本体４００には、磁性体４３０の磁石４３１が設けられているため、スピーカ本体４００の周囲には磁界が発生する。このような磁界の中で測定リード線を振動させると、測定リード線を通過する磁束線が増減し誘導電圧が発生する。そして、ＦＦＴアナライザ６４０により、スピーカ本体４００の振動の大きさと、測定リード線に発生する誘導電圧と、を測定することが可能となる。このように、各種測定リード線の誘導電圧の大きさを測定し、その結果を図８に示す。図８は、比較例のリード線および本実施の形態のリード線５００におけるスピーカ本体４００の振動と発生する誘導電圧との関係をグラフに示した関係図である。なお、図８中の実線Ｃは本実施の形態におけるリード線５００に発生する誘導電圧とスピーカ本体４００との振動との関係を示している。また、破線Ｄは、比較例のリード線に発生する誘導電圧とスピーカ本体４００の振動との関係を示している。
【００３３】
この図８の実験結果に示すように、本実施の形態のリード線５００では、従来のリード線よりも、スピーカ本体４００の振動により発生する誘導電圧が小さくなるという結果が確認できる。これは、リード線５００の左撚導線５２０に発生する誘導電流と右撚導線５３０に発生する誘導電流とが、互いに誘導電流を弱め合うためである。これにより、リード線５００の全体としては、見かけ上、誘導電流の影響がない状態となる。したがって、リード線５００に例えば端子部３００からスピーカ本体４００に向かって所定の電流値の電流を流すと、誘導電流の影響がないために電流値の変動が小さくなることが分かる。
【００３４】
｛リード線の強度の実験｝
次に、リード線５００の強度について説明する。リード線５００の強度としては、測定対象の測定リード線を繰り返し屈曲させて、測定リード線が破損するまでの屈曲回数を測定する屈曲試験により測定した。この時、屈曲試験に用いる測定リード線としては、本実施の形態のリード線５００、および比較例として左撚導線のみで構成されたリード線を用いた。これらの測定リード線は、下記の表１に示すように、外径、抵抗、目付、引張強度、および引張伸度を略同一の条件に設定した。また、この屈曲試験では、比較例のリード線および本実施の形態のリード線５００のサンプルを１２本ずつ用意し、これらのサンプルのそれぞれにおいて屈曲試験を実施した。なお、この屈曲試験の試験条件としては、リード線に加える荷重を１００ｇとし、屈曲半径が０．１５ｍｍとなるように屈曲させる。この屈曲試験の測定結果を、下記表２に示す。
【００３５】
【表１】
2006210186.tif 000003
【００３６】
【表２】
2006210186.tif 000004
【００３７】
この表２に示す測定結果において、本実施の形態のリード線５００および比較例のリード線を略同一の条件下で屈曲試験を実施した場合、比較例のリード線の破損までの屈曲回数が平均１５１４７回となるのに対し、本実施の形態のリード線５００では、破損までの屈曲回数が平均１９９４９回となった。これは、比較例のリード線が屈曲により受ける応力を一方向にしか分散できないが、本実施の形態のリード線５００では、屈曲により受ける応力を異なった方向に分散するためである。これにより、本実施の形態のリード線５００は、比較例のリード線よりも破損するまでの屈曲回数が多く、比較例のリード線に比べて屈曲に対する強度が強くなることが分かる。
【００３８】
［スピーカ装置の作用効果］
上述したようなスピーカ装置１００では、箔線５０２が左周りに螺旋形成された左撚導線５２０と、箔線５０２が右回りに螺旋形成された右撚導線５３０と、により形成されるリード線５００でスピーカ本体４００と端子部３００とを接続している。このため、リード線５００がスピーカ本体４００にて発生する磁界中で振動した場合でも、左撚導線５２０に発生する誘導電流と右撚導線５３０に発生する誘導電流とが互いに打ち消しあい、リード線５００の全体として発生する誘導電流の電流値を低減できる。したがって、誘導電流により本来流すべき電流の導電が阻害されないので、音声信号などの電気信号を正確に安定して導電できる。これにより、スピーカ本体４００から出力される音声を劣化させることなく良好に出力させることができる。
【００３９】
また、外部から応力を受けた場合に、左撚導線５２０と右撚導線５３０とは応力を異なった方向分散できる。このため、屈曲やねじれなどに対する強度の向上が図れる。
【００４０】
また、左撚導線５２０と右撚導線５３０とを撚り合わせて基本導線５１０形成している。このため、左撚導線５２０と右撚導線５３０とは互いに撚り合うことで、確実に互いの磁性効果を打ち消しあうことができる。したがって、誘導電流の発生を抑えられる。またこのような基本導線５１０をさらに撚り合わせることでリード線５００の強度を強くできる。
【００４１】
また、左撚導線５２０と右撚導線５３０とを撚り合わせることで、外部から受ける応力を各方向に分散することができる。したがって、屈曲破断強度が強くなり、あらゆる方向への屈曲に対して強度が強くなり、リード線５００の破断を防止できる。
【００４２】
さらに、リード線５００は、基本導線５１０を複数撚り合わせて形成されている。このように、屈曲破断強度の強い基本導線５１０を複数用いることにより、さらにリード線５００の強度を強くすることができる。
【００４３】
そして、左撚導線５２０および右撚導線５３０は、芯線５０１の周面に箔線５０２が螺旋状に巻装されて形成されている。このため、芯線５０１を中心に箔線５０２を巻装するだけで容易に左撚導線５２０および右撚導線５３０を形成できる。したがって、リード線５００の生産性の向上を図れる。また、芯線５０１を用いているため、左撚導線５２０および右撚導線５３０の強度を確保することができる。したがって、基本導線５１０を作成においても、強度の強い左撚導線５２０および右撚導線５３０を撚り合わせるため、容易に基本導線５１０を形成することができる。
【００４４】
また、箔線５０２が帯状に形成されている。このため、芯線５０１の周面に沿って箔線５０２を巻装しやすくなる。したがって、左撚導線５２０および右撚導線５３０を作成する作業を簡略化できる。
【００４５】
また、基本導線５１０は、２本の左撚導線５２０と２本の右撚導線５３０とを撚り合わせて形成されている。このため、この基本導線５１０を磁界内で振動させた場合に、左撚導線５２０に発生する誘導電流の大きさと、右撚導線５３０に発生する誘導電流の大きさとを略同じにすることができる。したがって、左撚導線５２０で発生した誘導電流と右撚導線５３０で発生した誘導電流とは、互いに打ち消しあって、誘導電流の電流値をより小さくすることができる。
【００４６】
また、基本導線５１０は、左撚導線５２０と右撚導線５３０とが星型カッド構造に配置されて形成されている。このため、導線間の相互静電容量を安定させることができ、電磁気によるノイズなどの影響に対して強くなる。したがって、安定して電流を導電できるので、音質劣化を防止できる。また、星型カッド構造にすることで、外部からの応力を各左撚導線５２０、右撚導線５３０に均等に分散させることができるので、屈曲やねじれなどに対する強度を向上させることができる。
【００４７】
さらに、基本導線５１０は、左撚導線５２０同士、および右撚導線５３０同士が対向するように、中心点Ｇを対称点として点対称に配置されて形成されている。このため、基本導線５１０が磁界中で振動した場合に、左撚導線５２０および右撚導線５３０が磁界から受ける影響を略同一にすることができる。したがって、左撚導線５２０および右撚導線５３０に発生する誘導電流の大きさを略同値にすることができる。これにより、左撚導線５２０にて発生した誘導電流と右撚導線５３０にて発生した誘導電流とが互いに打ち消し合って、略相殺することができる。
【００４８】
また、リード線５００は、基本導線５１０ａおよび基本導線５１０ｃ、基本導線５１０ｂおよび基本導線５１０ｄをそれぞれ対向させて、基本導線５１０ａの基本導線５１０ｃ側、および基本導線５１０ｃの基本導線５１０ａ側に右撚導線５３０が配置され、基本導線５１０ｂの基本導線５１０ｄ側および基本導線５１０ｄの基本導線５１０ｂ側に左撚導線５２０が配置されて構成される。すなわち、リード線５００は、中心点を対称点として点対称となるように基本導線５１０を配置している。このため、リード線５００を磁界中で振動させた場合に、各基本導線５１０が互いに及ぼしあう影響を略同じにすることができる。したがってリード線５００に流れる電気を安定させることができる。
【００４９】
［実施の形態の変形例］
なお、本発明は、上述した各実施の形態に限定されるものではなく、本発明の目的を達成できる範囲で以下に示される変形をも含むものである。
【００５０】
例えばスピーカ装置１００の端子部３００とスピーカ本体４００との接続にリード線５００を用いた構成を示したが、スピーカ本体４００の内部の配線、例えばコイル４３２に本発明のリード線を適用してもよい。この場合、例えば１本の左撚導線と１本の右撚導線とを撚り合わせた導線をリード線として用いることで、リード線の太さを細くできてコイルを形成しやすくなる。さらに、リード線５００は、スピーカ装置での使用に限定されるものではなく、例えば、テレビジョン、ビデオテープレコーダ、オーディオ機器、冷蔵庫、電子レンジなど、あらゆる電気機器や電気部品に使用することができる。特にテレビジョン、ビデオテープレコーダ、オーディオ機器などのような音声や映像を記録および／または再生する機器やパーソナルコンピュータなどの情報処理装置では、磁界による誘導電流の影響を抑制できるので、音声や映像などに関する情報を劣化させずに良好に出力することができる。
【００５１】
また、本実施の形態では、２本の左撚導線５２０と２本右撚導線５３０とを撚り合わせた基本導線５１０を形成し、このように形成した基本導線５１０を４本撚り合わせてリード線５００を形成する構成としたが、これに限らない。たとえば、２本の左撚導線と２本の右撚導線とが撚り合わされて直接リード線が形成されてもよい。このようなリード線では、基本導線を形成する作業を不要にでき、容易に作成できる。また、リード線の線径を径小にできるため、小型機器などの内部の配線などにも利用できる。
【００５２】
また、左撚導線および右撚導線が互いに平行になるように配置され、合成樹脂などにて形成された被覆部材で覆うリード線であってもよい。この構成では、リード線を撚り合わせる作業を省略できるので、生産性を良好にできる。
【００５３】
さらに、前記実施の形態では、２本の左撚導線５２０と２本の右撚導線５３０を星型カッド構造にした基本導線５１０の例を示したが、これに限られず、さらに多くの左撚導線および右撚導線と用いて基本導線を構成してもよい。例えば、基本導線は、４本の左撚導線と４本の右撚導線とを撚り合わせて構成されてもよい。この場合、リード線を断面したときに中心点に対して左撚導線同士、および右撚導線同士が点対称となるように左撚導線および右撚導線を配置することが好ましい。このような配置では、基本導線の中心軸における磁束線が増減した際に発生する左撚導線および右撚導線の誘導電流の大きさを略同一にできる。したがって、左撚導線および右撚導線に発生する誘導電流を互いに打ち消しあうことができる。
【００５４】
また、左撚導線５２０および右撚導線５３０は、芯線５０１に箔線５０２を巻装することで形成される構成を示したが、芯線５０１を用いずに箔線５０２が螺旋状に形成された左撚導線および右撚導線を用いてもよい。この場合、芯線５０１が不要となるので、生産コストを低減できる。また、箔線５０２を電気伝導性が良好でかつ強度および靭性の優れた素材に変更することで、左撚導線および右撚導線の強度を確保することができる。
【００５５】
さらに、箔線５０２は芯線５０１の周面に沿って密となるように巻装された例を示したが、これに限られない。例えば、前述したように箔線５０２が所定の隙間をあけて巻装された構成としてもよい。
【００５６】
また、基本導線を構成する左撚導線と右撚導線との本数が異なった構成としてもよい。例えば３本の左撚導線と２本の右撚導線とを撚り合わせて基本導線を形成してもよい。このような基本導線を磁界内で振動させると、左撚導線で発生する誘導電流が右撚導線で発生する誘導電流より大きくなる。この場合、例えば２本の左撚導線と３本の右撚導線とを撚り合わせた基本導線を撚り合わせることにより、リード線全体の見かけ上の誘導電流の電流値を抑えることができる。
【００５７】
また、上記実施の形態では、左撚導線５２０および右撚導線５３０を撚り合わせて基本導線５１０を構成する例を示したが、例えば左撚導線５２０および右撚導線５３０が編組されて基本導線を構成してもよい。この様な基本導線を磁界内で振動させた場合でも、左撚導線および右撚導線は互いに発生した誘導電流を打ち消しあう。したがって、リード線全体として見かけ上誘導電流が発生していない状態となり、電流を安定して流すことができる。また、左撚導線５２０と右撚導線５３０とが編組された構成の場合でも、外部からの応力を左撚導線５２０と右撚導線５３０とで異なった方向に分散することができるので、屈曲やねじれに対する強度の向上が図れる。さらに、基本導線を編組させてリード線を構成する構成としてもよい。この場合もリード線の強度を向上させることができる。
【００５８】
左撚導線５２０および右撚導線５３０が絶縁性の被覆材によりコーティングされている例を示したが、さらに基本導線やリード線を被覆材でコーティングしてもよい。この被覆材によるコーティングは、導線表面に絶縁性塗料と塗布して被覆層を形成するものであってもよく、絶縁性の合成樹脂製のチューブ部材に導線を通して被覆するものであってもよい。さらには、このように絶縁性の被覆材にてコーティングしたリード線の周囲に導電性部材を被覆してもよい。この場合、この導電性部材が電磁気を遮断するため、リード線５００に発生する誘導電流の電流値の増加をさらに抑えることができる。したがって、より安定して電流をながすことができる。
【００５９】
その他、本発明の実施の際の具体的な構造および手順は、本発明の目的を達成できる範囲で他の構造などに適宜変更できる。
【００６０】
［実施の形態の効果］
上述したようなスピーカ装置１００では、箔線５０２が左周りに螺旋形成された左撚導線５２０と、箔線５０２が右回りに螺旋形成された右撚導線５３０と、により形成されるリード線５００でスピーカ本体４００と端子部３００とを接続している。このため、リード線５００がスピーカ本体４００にて発生する磁界中で振動した場合でも、左撚導線５２０に発生する誘導電流と右撚導線５３０に発生する誘導電流とが互いに打ち消しあい、リード線５００の全体として発生する誘導電流の電流値を低減できる。したがって、誘導電流により本来流すべき電流の導電が阻害されないので、音声信号などの電気信号を正確に安定して導電できる。これにより、スピーカ本体４００から出力される音声を劣化させることなく良好に出力させることができる。また、外部から応力を受けた場合に、左撚導線５２０と右撚導線５３０とは応力を異なった方向分散できる。このため、屈曲やねじれなどに対する強度の向上が図れる。したがって、リード線５００は、安定して電流を流すことができる。
【図面の簡単な説明】
【００６１】
【図１】本実施の形態におけるスピーカ装置を模式的に示す概略図である。
【図２】スピーカ本体を模式的に示す断面図である。
【図３】リード線の構成の概略図である。
【図４】リード線の縦断面図である。
【図５】基本導線の縦断面図である。
【図６】左撚導線および右撚導線の構成を示す概略図である。
【図７】リード線に発生する誘導電圧を測定する測定装置を模式的に示す概略図である。
【図８】従来のリード線および本実施の形態のリード線におけるスピーカの振動と発生する誘導電圧との関係をグラフに示した関係図である。
【符号の説明】
【００６２】
１００  …  電気機器としてのスピーカ装置
４００  …  電気機器本体としてのスピーカ本体
５００  …  導電線としてのリード線
５０１  …  軸材としての芯材
５０２  …  導電性の線材としての箔線
５１０  …  導線としても基本導線
５２０  …  第１の導電線材としての左撚導線
５３０  …  第２の導電線材としての右撚導線
【図１】
2006210186.tif 000005
【図２】
2006210186.tif 000006
【図３】
2006210186.tif 000007
【図４】
2006210186.tif 000008
【図５】
2006210186.tif 000009
【図６】
2006210186.tif 000010
【図７】
2006210186.tif 000011
【図８】
2006210186.tif 000012